(57)【要約】【課題】  特定された顔画像上の他の１点からユーザの操作無しに他の点を検出し、定められた規格を満足する写真が容易に得られる写真撮影装置を提供することである。【解決手段】  撮影された撮影画像を表示する表示部と、表示部に表示されている撮影画像における目の位置を特定し目位置データを出力する目位置特定手段と、表示部に表示されている撮影画像における顔の長手方向一端部の位置を特定し顔の長手方向一端部位置データを出力する一端部特定手段と、目位置データ及び顔の長手方向一端部位置データに基づいて、顔の長手方向他端部の位置を検出して顔の長手方向他端部位置データを出力する他端部検出手段と、目の位置と、顔の長手方向一端部の位置から他端部の位置の領域とが、予め設定された範囲内に収まるように配置調整を施す画像調整手段と、を備える写真撮影装置。【選択図】図４
2006301795.tif 000002
【特許請求の範囲】
【請求項１】
被撮影者の顔を含む画像を撮影する撮影手段を有し、当該撮影手段により撮影された撮影画像をプリント出力する写真撮影装置において、
前記撮影手段によって撮影された撮影画像を表示する表示手段と、
前記表示手段に表示されている撮影画像における目の位置を特定し、当該特定された目位置データを出力する目位置特定手段と、
前記表示手段に表示されている撮影画像における顔の長手方向一端部の位置を特定し、当該特定された顔の長手方向一端部位置データを出力する一端部特定手段と、
前記目位置特定手段によって特定された目位置データ及び前記一端部特定手段によって取得された顔の長手方向一端部位置データに基づいて、顔の長手方向他端部の位置を検出して顔の長手方向他端部位置データを出力する他端部検出手段と、
前記目の位置と、前記顔の長手方向一端部の位置から他端部の位置の領域とが、予め設定された範囲内に収まるように配置調整を施す画像調整手段と、
を備えることを特徴とする写真撮影装置。
【請求項２】
被撮影者の顔を含む画像を撮影する撮影手段を有し、当該撮影手段により撮影された撮影画像をプリント出力する写真撮影装置において、
前記撮影手段によって撮影された撮影画像を表示する表示手段と、
前記撮影画像から顔領域を抽出する顔抽出手段と、
前記抽出された顔領域から目の位置を示す目位置データを抽出する目位置特定手段と、
前記抽出された顔領域から顔の長手方向一端部の位置を特定し、当該特定された顔の長手方向一端部位置データを出力する一端部特定手段と、
前記目位置特定手段によって抽出された目位置データ及び前記一端部特定手段によって取得された顔の長手方向一端部の位置に基づいて、顔の長手方向他端部の位置を検出して顔の長手方向他端部位置データを出力する他端部検出手段と、
前記目の位置と、前記顔の長手方向一端部の位置から他端部の位置の領域とが、予め設定された範囲内に収まるように配置調整を施す画像調整手段と、
を備えることを特徴とする写真撮影装置。
【請求項３】
請求項１又は２に記載の写真撮影装置において、
前記顔の長手方向一端部の位置は、頭頂部又は下顎の位置であること、
を特徴とする写真撮影装置。
【請求項４】
請求項１から３のいずれか一項に記載の写真撮影装置において、
前記顔の長手方向他端部の位置は、前記顔の長手方向の一端部の位置が頭頂部の位置である場合には下顎の位置、前記顔の長手方向一端部の位置が下顎の位置である場合には頭頂部の位置であること、
を特徴とする写真撮影装置。
【請求項５】
請求項３又は４のいずれか一項に記載の写真撮影装置において、
前記画像調整手段により調整された撮影画像に対して、写真枠の上部から頭頂部の間に予め設定された空白領域の存在の有無を判別する空白領域判別手段と、
前記空白領域判別手段が当該写真枠の上部から頭頂部の間に予め設定された空白領域が無いと判別した場合、前記被撮影者に対して髪型を調整するように促すよう報知する報知手段と、
を備えることを特徴とする写真撮影装置。
【請求項６】
請求項５に記載の写真撮影装置において、
前記予め設定された範囲内に対して前記画像調整手段により調整された撮影画像の位置又は大きさの調整指示を受け付ける操作指示手段を備え、
前記画像調整手段は、
前記操作指示手段からの調整指示に基づいて位置又は大きさが調整された撮影画像が、前記予め設定された範囲内であるか否かを判別し、
前記報知手段は、
前記調整指示に基づいて位置又は大きさが調整された撮影画像が予め設定された範囲内でないと判別された場合、前記被撮影者に対して、プリント出力される撮影画像は規格外の写真である旨を報知すること、
を特徴とする写真撮影装置。
【発明の詳細な説明】
【技術分野】
【０００１】
本発明は、パスポートや履歴書等に使用される証明写真や、ポートレート、記念写真当を撮影する写真撮影装置に関する。
【背景技術】
【０００２】
従来から、免許証やパスポート、履歴書等に貼付するような証明写真等を撮影するためのボックス型の写真撮影装置が普及しており、街頭や店頭に設置されている。このような証明写真装置では、撮影ボックス内に顧客が入り、ガイドに従って顧客自ら撮影操作を行うことにより、簡単かつ短時間でプリント写真を得ることができる。
【０００３】
写真撮影装置により得られるプリント写真は、例えばパスポート用の写真のように、顔の大きさや目の位置等の規格が詳細に定められた用途に使用される場合がある。そこで、予め設定された規格を満足するプリント写真を得るために、顧客自らが写真枠に顔を合わせて撮影された画像に対して拡大／縮小の操作を行ったり、画面上に映し出された顔画像の頭頂部と下顎の位置にゲージと呼ばれる線を合わせて影範囲やプリント出力範囲の位置決めを行い、位置決めした設定範囲内に自分の顔を合わせて撮影を行うよう設定操作を行ったりしていたが、ゲージ操作により設定された写真枠に顔を合わせるのは顧客にとって煩雑な操作であり、操作ミスや位置合わせミスも生じ規格外の写真が不本意に得られてしまうという問題を有していた。
【０００４】
そこで、撮影で得られた顔画像の頭頂部を検出し、頭頂部と顔画像上の任意の少なくとも１点との距離が所定範囲内に入るように調整する撮影装置が開示されている（特許文献１参照）。
【特許文献１】特開２００３−１８９２９６号公報
【発明の開示】
【発明が解決しようとする課題】
【０００５】
しかしながら、このような従来の写真撮影装置は、顧客の髪型によっては頭頂部を検出することができない場合や、ヒゲが多いことにより唇や下顎が検出できない場合などがあり、頭頂部と顔画像上の他の１点が検出できなければ、求められる規格を満足するプリント写真を得ることができないという問題がある。
【０００６】
本発明の課題は、特定された顔画像上の他の１点からユーザの操作無しに他の点を検出し、定められた規格を満足する写真が容易に得られる写真撮影装置を提供することである。
【課題を解決するための手段】
【０００７】
請求項１に記載の発明は、被撮影者の顔を含む画像を撮影する撮影手段を有し、当該撮影手段により撮影された撮影画像をプリント出力する写真撮影装置において、前記撮影手段によって撮影された撮影画像を表示する表示手段と、前記表示手段に表示されている撮影画像における目の位置を特定し、当該特定された目位置データを出力する目位置特定手段と、前記表示手段に表示されている撮影画像における顔の長手方向一端部の位置を特定し、当該特定された顔の長手方向一端部位置データを出力する一端部特定手段と、前記目位置特定手段によって特定された目位置データ及び前記一端部特定手段によって取得された顔の長手方向一端部位置データに基づいて、顔の長手方向他端部の位置を検出して顔の長手方向他端部位置データを出力する他端部検出手段と、前記目の位置と、前記顔の長手方向一端部の位置から他端部の位置の領域とが、予め設定された範囲内に収まるように配置調整を施す画像調整手段と、を備える写真撮影装置であること、を特徴としている。
【０００８】
請求項２に記載の発明は、被撮影者の顔を含む画像を撮影する撮影手段を有し、当該撮影手段により撮影された撮影画像をプリント出力する写真撮影装置において、前記撮影手段によって撮影された撮影画像を表示する表示手段と、前記撮影画像から顔領域を抽出する顔抽出手段と、前記抽出された顔領域から目の位置を示す目位置データを抽出する目位置特定手段と、前記抽出された顔領域から顔の長手方向一端部の位置を特定し、当該特定された顔の長手方向一端部位置データを出力する一端部特定手段と、前記目位置特定手段によって抽出された目位置データ及び前記一端部特定手段によって取得された顔の長手方向一端部の位置に基づいて、顔の長手方向他端部の位置を検出して顔の長手方向他端部位置データを出力する他端部検出手段と、前記目の位置と、前記顔の長手方向一端部の位置から他端部の位置の領域とが、予め設定された範囲内に収まるように配置調整を施す画像調整手段と、を備える写真撮影装置であること、を特徴としている。
【０００９】
請求項３に記載の発明は、請求項１又は２に記載の写真撮影装置において、前記顔の長手方向一端部の位置は、頭頂部又は下顎の位置であること、を特徴としている。
【００１０】
請求項４に記載の発明は、請求項１から３のいずれか一項に記載の写真撮影装置において、前記顔の長手方向他端部の位置は、前記顔の長手方向の一端部の位置が頭頂部の位置である場合には下顎の位置、前記顔の長手方向一端部の位置が下顎の位置である場合には頭頂部の位置であること、を特徴としている。
【００１１】
請求項５に記載の発明は、請求項３又は４のいずれか一項に記載の写真撮影装置において、前記画像調整手段により調整された撮影画像に対して、写真枠の上部から頭頂部の間に予め設定された空白領域の存在の有無を判別する空白領域判別手段と、前記空白領域判別手段が当該写真枠の上部から頭頂部の間に予め設定された空白領域が無いと判別した場合、前記被撮影者に対して髪型を調整するように促すよう報知する報知手段と、を備えること、を特徴としている。
【００１２】
請求項６に記載の発明は、請求項５に記載の写真撮影装置において、前記予め設定された範囲内に対して前記画像調整手段により調整された撮影画像の位置又は大きさの調整指示を受け付ける操作指示手段を備え、前記画像調整手段は、前記操作指示手段からの調整指示に基づいて位置又は大きさが調整された撮影画像が、前記予め設定された範囲内であるか否かを判別し、前記報知手段は、前記調整指示に基づいて位置又は大きさが調整された撮影画像が予め設定された範囲内でないと判別された場合、前記被撮影者に対して、プリント出力される撮影画像は規格外の写真である旨を報知すること、を特徴としている。
【発明の効果】
【００１３】
請求項１に記載の発明によれば、被撮影者の髪型やヒゲ等の外観に左右されることなく、目の位置と顔の長手方向一端部の位置の２点に基づいて他端部の位置を容易に検出することができ、更に、被撮影者の操作無しに目の位置、顔の長手方向一端部及び他端部の位置が写真種毎に予め設定されている範囲内に収まるように配置調整されるため、規格を満足する写真が容易に得られる写真撮影装置を提供することができる。
【００１４】
請求項２に記載の発明によれば、被撮影者の髪型やヒゲ等の外観に左右されることなく、被撮影者の操作無しに目の位置と顔の長手方向一端部の位置の２点に基づいて他端部の位置を容易に検出することができ、更に、目の位置、顔の長手方向一端部及び他端部の位置が写真種毎に予め設定されている範囲内に収まるように配置調整されるため、規格を満足する写真が容易に得られる写真撮影装置を提供することができる。
【００１５】
請求項３に記載の発明によれば、請求項１又は２と同様の効果を得られるのは勿論のこと、被撮影者にとって認識しやすい頭頂部又は下顎の位置を、顔画像の大きさを検出する基準とすることができるため、操作ミスや位置合わせミスが低減され、規格を満足する写真を得ることができる。
【００１６】
請求項４に記載の発明によれば、請求項３と同様の効果を得られるのは勿論のこと、被撮影者にとって認識しやすい頭頂部の位置と下顎の位置を、顔画像の大きさを検出する基準とすることができるため、操作ミスや位置合わせミスが低減され、規格を満足する写真を得ることができる。
【００１７】
請求項５に記載の発明によれば、請求項３又は４と同様の効果を得られるのは勿論のこと、写真枠の上部から頭頂部の間に予め設定された空白領域が無い場合には、プリントされる写真が頭切れ等が生じ規格外の写真である可能性があり、このような場合において被撮影者に規格内の写真となるように改善指示や注意喚起を促すことができる。
【００１８】
請求項６に記載の発明によれば、請求項５と同様の効果を得られるのは勿論のこと、被撮影者の操作指示に基づいて位置又は大きさが調整された撮影画像がめ設定された範囲内でない場合には、プリントされる写真が規格外であることを被撮影者に報知することができるため、規格外の不本意な写真が得られてしまうことをプリント出力前に報知することができ、再調整等の改善を促すことができる。
【発明を実施するための最良の形態】
【００１９】
[実施の形態１]
以下、図を参照して本発明の実施の形態１を詳細に説明する。
まず、構成を説明する。
図１に、本実施の形態１における写真撮影装置１の概略構成図を示す。
【００２０】
図１に示すように、写真撮影装置１は、ボックス型に形成されており、その外壁にはプリントされた写真を取り出す取出口７１が設置されており、ボックス内部（以下、撮影室Ｒという）には、被撮影者としての顧客Ｍが座れるように椅子Ｃが回転可能に設置されている。なお、椅子Ｃは回転により昇降可能に構成されている。また、顧客Ｍの上方、正面、背面にはそれぞれ照明用のストロボ２０ａが設置されており、更に顧客Ｍの正面には、操作手順やその他撮影に関する操作画面、撮影画像等を表示する表示部４０、操作指示するための操作部６０、顧客Ｍが撮影室内に入室したことを検出するための入室センサＳ、撮影料金を精算するためのコインメック５０が設置されている。
【００２１】
図２に、写真撮影装置１の内部構成を示す。
図２に示すように、写真撮影装置１は、本体部１０、ストロボユニット２０、撮影手段としてのデジタルカメラ３０、表示手段としての表示部４０、コインメック５０、操作部６０、プリンタ部７０、通信部８０、入室センサＳを備えて構成されている。
【００２２】
本体部１０は、制御部１１０、Ｉ／Ｏコントロール１２０、ＲＯＭ（Read Only Memory）１３０、ＲＡＭ（Random Access Memory）１４０、ＨＤＤ（Hard Disk Drive）１５０、Ｉ／Ｆ１６０から構成されており、Ｉ／Ｏコントロール１２０を介してストロボユニット２０、コインメック５０、スピーカ５５、操作部６０、に接続されるとともに、Ｉ／Ｆ１６０を介してプリンタ部７０に接続されている。
【００２３】
制御部１１０は、ＲＯＭ１３０に記憶されているシステムプログラムや各種データ、本発明に係る撮影プリント処理プログラム（図３参照）や撮影画像調整処理プログラム（図４参照）、プリント確認画像表示処理プログラム（図５参照）等の各種プログラムやデータを読み出してＲＡＭ１４０に展開し、当該プログラムに従って各部の動作を集中制御する。また、制御部１１０は、撮影画像に対し、階調変換処理、鮮鋭性強調処理、トリミング、サイズ調整等の各種画像処理を施す画像処理機能を有している。
【００２４】
制御部１１０、ＲＯＭ１３０、ＲＡＭ１４０、ＨＤＤ１５０の協働により、撮影プリント処理プログラムによって実行される撮影プリント処理は、操作画面及びアナウンス音声のデータをＨＤＤ１５０から読み出して順次操作画面を表示部４０に表示させるとともに、表示中の操作画面に応じたアナウンス音声をスピーカ５５から出力させる。また、操作画面においてプリント条件（顧客の年齢情報、写真種等）が選択操作されると、当該選択されたプリント条件の情報をＲＡＭ１４０に一時記憶させて設定する。
【００２５】
そして、撮影指示の操作がなされた場合、ストロボユニット２０及びデジタルカメラ３０を制御して顧客の撮影を複数回行わせ、撮影画像を生成させ、生成された撮影画像に対して写真選択用に所定の画像処理が施され、その処理画像（写真選択用画像）が生成され、複数の写真選択用画像が表示される写真選択画面を表示し、選択された撮影画像に対して、撮影画像調整処置及びプリント確認画像表示処理を施した後、調整済の撮影画像に対してプリント出力の操作指示がされた場合、プリント出力用の画像処理を施し、ＲＡＭ１４０から読み出した設定されたプリントイメージに処理画像を合成してプリントデータを生成し、プリンタ部７０に出力する。
【００２６】
また制御部１１０、ＲＯＭ１３０、ＲＡＭ１４０、ＨＤＤ１５０の協働により、後述する撮影画像調整処理プログラムによって実行される本実施の形態１の撮影画像調整処理は、撮影された複数の撮影画像からプリントさせる画像が選択された後、選択された撮影画像に対して、目の位置を特定するために顧客に目の位置を指示させるための位置入力画面を生成し表示部４０の操作画面上に表示させる目位置特定手段を実現させる機能と、顔の長手方向一端部の位置としての頭頂部又は下顎の少なくとも一方の位置を特定し、特定された顔の長手方向一端部位置データ（頭頂部位置データ又は下顎位置データ）を出力するために顧客に指示させるための位置入力画面を生成し表示部４０の操作画面上に表示させる一端部特定手段を実現させる機能と、操作指示された位置が目の位置と頭頂部又は下顎の位置のいずれか一方である場合には、ＲＯＭ１３０内に予め記憶されている人体データ群を参照して、操作指示された目の位置と頭頂部又は下顎の位置のいずれか一方から、操作指示されていない顔の長手方向他端部の位置としての頭頂部又は下顎の位置を検出して顔の長手方向他端部位置データ（頭頂部位置データ又は下顎位置データ）を出力する他端部検出手段としての機能と、操作指示及び検出されたことにより特定された目の位置と頭頂部から下顎の位置の領域とが予め設定された規格の範囲内に収まるように配置調整を施す画像調整手段としての機能を実現する。
【００２７】
更に制御部１１０、ＲＯＭ１３０、ＲＡＭ１４０、ＨＤＤ１５０の協働により、後述するプリント確認画像表示処理プログラムによって実行されるプリント確認画像表示処理は、目の位置と頭頂部の位置から下顎の位置とが規格の範囲内に収まるように調整された撮影画像において、写真枠の上部から頭頂部の間に予め設定さられた空白領域の存在の有無を判別する空白領域判別手段としての機能と、空白領域が無いと判別した場合、顧客に対して髪型を調整するように促す警告情報を顧客に報知させるために、警告情報をメッセージとして調整済撮影画像が表示されるプリント確認画面と共に表示部４０に表示させる報知手段としての機能を実現する。
【００２８】
このように写真枠の上部から頭頂部の間に予め設定された空白領域が無い場合には、プリントされる写真が頭切れ等が生じ規格外の写真である可能性があり、このような場合において被撮影者に規格内の写真となるように改善指示や注意喚起を促すことができる。
【００２９】
また、制御部１１０、ＲＯＭ１３０、ＲＡＭ１４０、ＨＤＤ１５０の協働により、顧客の操作指示に基づいて調整済撮影画像の位置又は大きさの調整指示を受け付けた場合、調整済撮影画像に対し調整指示に基づく位置や大きさの調整処理を施し、調整処理が施された調整済撮影画像が予め設定された規格の範内であるか否かを判別する画像調整手段としての機能と、調整処理が施された調整済撮影画像が予め定められた規格内でないと判別した場合、顧客に対して、プリント出力される撮影画像は規格外の写真である旨を報知する警告情報を顧客に報知させるために、警告情報をメッセージとして調整処理された調整済撮影画像が表示されるプリント確認画面と共に表示部４０に表示させる報知手段としての機能を実現する。
【００３０】
このように、被撮影者の操作指示に基づいて位置又は大きさが調整された撮影画像が設定された範囲内でない場合には、プリントされる写真が規格外であることを被撮影者に報知することができるため、規格外の不本意な写真が得られてしまうことをプリント出力前に報知することができ、再調整等の改善を促すことができる。
【００３１】
表示部４０に表示されるメッセージ例としては、「頭頂部の上部に背景が写るように髪型を直してください。」、「規格外の写真です。」、「よろしいですか？」等の、選択された写真種毎に予め設定された規格内の写真となるように、顧客に対して問題箇所に対する改善指示や警告を促す内容のメッセージであることが好ましい。なお、メッセージ内容を音声出力させてもよい。
【００３２】
Ｉ／Ｏコントロール１２０は、本体部１０と、ストロボユニット２０、コインメック５０、操作部６０との間で情報のやり取りを仲介するインターフェイスであり、制御部１１０からの制御信号をストロボユニット２０、コインメック５０に送信するとともに操作部６０からの操作信号を制御部１１０に送信する。
【００３３】
ＲＯＭ１３０は、システムプログラムの他、撮影プリント処理プログラムや撮影画像調整処理プログラム、プリント確認画像表示処理プログラム等の各種制御プログラム、人体データ群等の各種データ、各プログラムで処理されたデータ等を記憶する。
【００３４】
人体データ群は、年齢に応じて（例えば、大人（１１歳以上）と子供（１１歳未満）に応じて）、目の位置から頭頂部の位置までの距離データ、下顎の位置から頭頂部までの距離データ、目の位置から頭頂部までの距離データと下顎の位置から頭頂部までの距離データとから算出される下顎の位置から目の位置までの距離データを有している。
【００３５】
ＲＯＭ１３０が人体データ群を記憶していることにより、例えば、取得された位置データが、目位置データと頭頂部位置データであった場合、顧客の目の位置から頭頂部の位置までの距離データが算出され、人体データ群を参照して、算出された目の位置から頭頂部の位置までの距離データに対応する、目の位置から頭頂部までの距離データと下顎の位置から頭頂部までの距離データが検出されることにより、未取得の下顎位置データを検出することができる。同様に、目位置データ及び下顎位置データと人体データ群とから未取得の頭頂部位置データを検出することができる。
【００３６】
ＲＡＭ１４０は、制御部１１０によって実行される各種プログラム及びこれらプログラムに係るデータを一時的に記憶するワークエリアを形成する。また、ＲＡＭ１４０は、デジタルカメラ３０により撮影された撮影画像の画像データを一時的に記憶するエリアを有する。
【００３７】
ＨＤＤ１５０は、デジタルカメラ３０により撮影された撮影画像（原画像）の画像データを記憶するとともに、制御部１１０により各種画像処理が施された処理画像の画像データを記憶する。また、料金案内、プリント条件の設定等の各種操作画面の画像データを記憶するとともに、各種操作画面におけるガイドアナウンス音声の音データを記憶している。
【００３８】
Ｉ／Ｆ１６０は、本体部１０と、プリンタ部７０との間で情報のやり取りを仲介するインターフェイスであり、制御部１１０で生成されたプリントデータを本体部１０からプリンタ７０へ送信する。
【００３９】
ストロボユニット２０は、制御部１１０からの発光指示の制御信号に従って、撮影室内の各部に設置されたストロボ２０ａの発光タイミングや発光量を制御するものであり、ストロボ２０ａはストロボユニット２０の制御に応じて発光を行う発光手段である。
【００４０】
デジタルカメラ３０は、シャッター、光学レンズ、ＣＣＤ（Charge Coupled Device）等の撮像素子、Ａ／Ｄ変換部等から構成される撮影手段であり、光学レンズを介して入力される被写体像を撮像素子により光電変換して画像信号を生成する。そして、Ａ／Ｄ変換部によりアナログ画像信号からデジタル画像データを得て、当該デジタル画像データを本体部１０に出力する。なお、デジタルカメラ３０に代えて動画を記録可能なデジタルビデオカメラを撮影手段として適用することとしてもよい。
【００４１】
表示部４０は、ＬＣＤ（Liquid Crystal Display）等を備えて構成され、制御部１１０の指示に従って操作画面を表示したり、撮影画像のプレ表示を行う。
【００４２】
コインメック５０は、硬貨や紙幣の入金口、釣銭返金口等を備えた金銭登録機であり、入金口から入金された金額と規定の撮影料金とから釣銭金額を算出し、釣銭金額に応じた硬貨又は紙幣を釣銭返金口に排出する。
【００４３】
スピーカ５５は、入力される音データに基づいてガイドアナウンス音声等を出力する。
【００４４】
操作部６０は、表示部４０と一体的に構成されるタッチパネル、撮影室の内壁に設けられた選択ボタン、撮影ボタン、目の位置、頭頂部の位置、下顎の位置を指示するゲージ操作ボタン等の各種機能ボタン等のハードキーを備えて構成され、押下されたボタンに対応する操作信号を制御部１１０に出力する。
【００４５】
プリンタ部７０は、制御部１１０から入力されるプリントデータに基づいてプリント出力を行うプリント手段である。プリンタ部７０のプリント方式としては、色材を昇華、転移させて画像を形成する昇華型熱転写方式を適用することとするが、記録媒体と受像材料とを重ね合わせて熱を加えることによって記録媒体の記録層を受像材料の受像層に転移させて画像を形成する溶融転写記録法式を適用することとしてもよいし、電子写真方式、インクジェット方式やその他のプリント方式であってもよい。また、銀塩写真像を形成するものであってもよい。
【００４６】
通信部８０は、ネットワークインターフェイスカード、モデム等の通信用インターフェイスから構成される通信手段であり、通信ネットワーク（不図示）上の外部機器と相互に情報の送受信を行う。例えば、他の写真撮影装置に画像データを転送してプリント出力させたりする。
【００４７】
入室センサＳは、顧客Ｍが撮影室Ｒに入室したことを検出するものであり、顧客Ｍの入室を検出するとその検出信号を制御部１１０に出力する。入室センサＳとしては、発光器と受光器とからなる光学式センサ等が適用可能である。
【００４８】
次に、本実施の形態１の動作を説明する。
図３に、本実施の形態１における写真撮影装置１により実行される撮影プリント処理のフローチャートを示す。
【００４９】
図３に示す撮影プリント処理では、まず、入室センサＳから入力される検出信号に基づいて、顧客が撮影室に入室したか否かが制御部１１０において判別され（ステップＳ１）、入室したと判別された場合（ステップＳ１：Ｙｅｓ）、表示部４０に撮影料金の料金ガイドを行う操作画面が表示される。顧客は、操作画面のガイドに従って規定の撮影料金をコインメック５０の入金口に投入する。
【００５０】
撮影料金が投入されると、コインメック５０において料金精算処理が行われ（ステップＳ２）、釣銭が有る場合は釣銭が返金口に排出される。次いで、表示部４０に顧客の年齢を入力する操作画面が表示され、顧客が操作画面上の数値ボタンを操作すると、操作された数値ボタンが示す年齢情報が取得され、取得された年齢情報がＲＡＭ１４０に一時的に記憶される（ステップＳ３）。
【００５１】
年齢情報が取得された後、表示部４０にカラー又は白黒いずれか一方の選択と写真種とのプリント条件を選択操作させるための操作画面が表示される。操作画面上には、カラー又は白黒の選択ボタンと、写真種として、例えば、免許証用、履歴書用、パスポート用、大型用にプリント形状等のプリント条件が予め定められた写真種が選択可能に表示されている。顧客が、この操作画面上で所望するカラー又は白黒及び写真種を選択すると、選択されたカラー又は白黒及び写真種がＲＡＭ１４０に一時的に記憶され、設定される（ステップＳ４）。
【００５２】
カラー又は白黒の設定、写真種等のプリント条件の設定が実行されると、次に撮影準備及び操作についての操作画面が表示部４０に表示される（ステップＳ５）。
【００５３】
撮影準備及び操作についての操作画面が表示された後、顧客が操作画面上に表示された操作ボタンを押下操作することにより、ストロボユニット２０の制御によりストロボ２０ａが発光されるとともに、デジタルカメラ３０においての撮影処理が実行される（ステップＳ６）。
【００５４】
撮影処理終了後、撮影された複数の撮影画像からプリントさせる画像を選択させる写真選択用の撮影画像が生成され（ステップＳ７）、写真選択用の撮影画像が選択可能に表示された写真選択画面が表示部４０に表示される（ステップＳ８）。
【００５５】
操作画面上に表示された写真選択画面において、顧客が操作画面上に表示された複数の写真選択用の撮影画像のうちのいずれかを選択すると（ステップＳ９）、選択された撮影画像に対して写真種毎に予め設定された規格の範囲内に目の位置、頭頂部から下顎の位置の領域が収まるように撮影画像に対して配置調整が施される（ステップＳ１０）。
【００５６】
配置調整が施された調整済撮影画像に対して、頭頂部の上部に予め定められた空白領域が無い場合、調整済撮影画像が表示されるプリント確認画面と共に、顧客に対して髪型を調整するように促す警告情報がメッセージと、更に、顧客の操作により位置又は大きさが調整された調整済撮影画像が規格の範囲外である場合、顧客に対して、プリント出力される撮影画像は規格外の写真である旨を報知する警告情報がメッセージとが表示部４０の操作画面上に表示される（ステップＳ１１）。
【００５７】
表示部４０の操作画面上に表示された調整済撮影画像に対し、設定されたプリント条件に従って、プリント出力用に階調処理変換、トリミング、サイズ調整等の各種画像処理が施され、プリント出力用の画像データ（出力画像データ）が生成され、ＲＡＭ１４０に一時的に記憶され設定される（ステップＳ１２）。
【００５８】
操作画面上に表示されたプリント確認画面において、顧客が操作画面上に表示された撮影画像を観察し、画像の良否を判断する。そして顧客は、良好な画像ではないと判断した場合は撮り直しボタンや上下ボタン、拡大／縮小ボタン等を選択し、良好な画像であると判断した場合にはプリントボタンを選択する。
【００５９】
制御部１１０では、撮り直しボタン又はプリントボタンのいずれかが操作されたか否かが判断され（ステップＳ１３）、撮り直しボタンが操作された場合は（ステップＳ１３：撮り直し）、ステップＳ６の処理に戻り、再度撮影が行われる。
【００６０】
一方、プリントボタンが操作された場合は（ステップＳ１３：プリント）、ＲＡＭ１４０に記憶されている出力画像データが読み出され、プリンタ部７０に出力される。プリンタ部７０では、出力画像データに基づくプリント出力が行われる（ステップＳ１４）。
【００６１】
プリント出力されたプリント写真が取出口７１に排出されると（ステップＳ１５）、本処理が終了される。
【００６２】
図４に、本実施の形態１における撮影画像調整処理のフローチャートを示す。
【００６３】
図４に示す撮影画像調整処理では、図３に示す撮影プリント処理のステップＳ９において、撮影画像が選択されると、選択された撮影画像の画像データが取得され（ステップＳ２１）、当該撮影画像に対して、目の位置、頭頂部の位置、下顎の位置の入力操作を行わせる位置入力画面が生成され、表示部４０の操作画面上に表示される（ステップＳ２２）。
【００６４】
図５（ａ）に、目の位置の位置入力画面の一例を示す。
図５（ａ）に示すように、目の位置入力画面Ｇ１には、選択された撮影画像Ｇ１０と共に撮影画像の水平方向に目の位置を設定するゲージＧｅが表示される。ゲージＧｅは、ゲージ操作ボタンＧｕ、Ｇｄの操作に連動して、矢印で示す方向に表示されている撮影画像上を上下移動する。顧客は、表示されている撮影画像の目の位置にゲージＧｅを合わせた後、目の位置のゲージ設定完了ボタンＧ１１を押下して、目の位置の入力指示を行う。このように、目の位置の位置入力画面Ｇ１によって、目位置特定手段が実現される。
【００６５】
目の位置の入力指示が有るか否かが判別され（ステップＳ２３）、目の位置の入力指示が無いと判別された場合（ステップＳ２３；Ｎｏ）、ステップＳ２３に戻り、目の位置の入力指示があるまで待機する。
【００６６】
目の位置の入力指示有りと判別された場合（ステップＳ２３；Ｙｅｓ）、入力指示された目の位置（撮影画像に対するゲージＧｅの位置）のデータ（目位置データ）が出力され、ＲＡＭ１４０又はＨＤＤ１５０に取得される（ステップＳ２４）。目位置データが取得された後、頭頂部及び下顎の位置の位置入力画面が表示部４０の操作画面上に表示される。
【００６７】
図５（ｂ）に、頭頂部及び下顎の位置の位置入力画面の一例を示す。
図５（ｂ）に示すように、頭頂部及び下顎の位置の位置入力画面Ｇ２には、選択された撮影画像Ｇ１０と共に撮影画像の水平方向に頭頂部の位置を設定するゲージＧｈと下顎の位置を設定するゲージＧｊが表示される。ゲージＧｈ、Ｇｊは、ゲージ操作ボタンＧｕ、Ｇｄの操作に連動して、矢印で示す方向に表示されている撮影画像上を個別に上下移動する。顧客は、表示されている撮影画像の頭頂部の位置にゲージＧｈを合わせた後、頭頂部の位置のゲージ設定完了ボタンＧ２１を押下して、頭頂部の位置の入力指示を行い、また、下顎の位置にゲージＧｊを合わせた後、下顎の位置のゲージ設定完了ボタンＧ２２を押下して、下顎の位置の入力指示を行う。このように、頭頂部及び下顎の位置の位置入力画面Ｇ２によって、一端部特定手段が実現される。
【００６８】
頭頂部の位置の入力指示が有るか否かが判別され（ステップＳ２５）、頭頂部の位置の入力指示が無いと判別された場合（ステップＳ２５；Ｎｏ）、ステップＳ２７に進む。
【００６９】
頭頂部の位置の入力指示有りと判別された場合（ステップＳ２５；Ｙｅｓ）、入力指示された頭頂部の位置（撮影画像に対するゲージＧｈの位置）のデータ（頭頂部位置データ）が出力され、ＲＡＭ１４０又はＨＤＤ１５０に取得される（ステップＳ２６）。
【００７０】
頭頂部位置データが取得された後（ステップＳ２６後）又は頭頂部の位置の入力指示が無いと判別された場合（ステップＳ２５；Ｎｏ）、下顎の位置の入力指示が有るか否かが判別され（ステップＳ２７）、下顎の位置の入力指示が無いと判別された場合（ステップＳ２７；Ｎｏ）、ステップＳ２９に進む。
【００７１】
下顎の位置の入力指示有りと判別された場合（ステップＳ２７；Ｙｅｓ）、入力指示された下顎の位置（撮影画像に対するゲージＧｊの位置）のデータ（下顎位置データ）出力され、ＲＡＭ１４０又はＨＤＤ１５０に取得される（ステップＳ２８）。
【００７２】
下顎位置データが取得された後（ステップＳ２８後）又は下顎の位置の入力指示が無いと判別された場合（ステップＳ２８；Ｎｏ）、頭頂部又は下顎位置データが取得済みであるか否かが判別され（ステップＳ２９）、頭頂部及び下顎位置データが取得済みでないと判別された場合（ステップＳ２９；Ｎｏ）、ステップＳ２５に戻る。
【００７３】
頭頂部又は下顎位置データが取得済みであると判別された場合（ステップＳ２９；Ｙｅｓ）、撮影画像上に取得した位置を示す確認画面が生成され、位置確認画面が表示部４０の操作画面上に表示される（ステップＳ３０）。
【００７４】
図５（ｃ）に、本実施の形態１における位置確認画面の一例を示す。図５（ｃ）に示す位置確認画面Ｇ３は、顧客の髪型により頭頂部の位置が設定できず、目の位置と下顎の位置とが設定された場合の位置確認画面の一例である。
【００７５】
図５（ｃ）に示すように、位置確認画面Ｇ３には、選択された撮影画像Ｇ１０と共に撮影画像の水平方向に取得された目の位置を示すゲージＧｅと、頭頂部の位置を設定するゲージＧｈ又は下顎の位置を示すゲージＧｊの少なくとも一方のゲージ（図５（ｃ）にいては、下顎の位置を示すゲージＧｊ）とが表示され、表示されたゲージの位置を再設定する旨を指示する再設定ボタンＧ３１と、表示されたゲージの位置で良い旨を指示するＯＫボタンＧ３２とが選択可能に表示されている。
【００７６】
顧客は、表示されているゲージが示す位置を確認し、表示されたゲージの位置を再設定する場合には再設定ボタンＧ３１を押下し、表示されたゲージの位置で良い場合にはＯＫボタンＧ３２を押下して、設定した位置の確認指示を行う。
【００７７】
位置確認画面Ｇ３に対する確認指示において、再設定ボタンＧ３１又はＯＫボタンＧ３２のどちらかが押下されたかが判別され（ステップＳ３１）、再設定ボタンＧ３１が押下されたと判別された場合（ステプＳ３１；再設定）、ステップＳ２２に戻る。
【００７８】
ＯＫボタンＧ３２が押下されたと判別された場合（ステップＳ３１；ＯＫ）、頭頂部及び下顎の位置のデータが取得されているか否かが判別される（ステップＳ３２）。
【００７９】
頭頂部及び下顎位置データが取得されていないと判別された場合（ステップＳ３２；Ｎｏ）、ＲＯＭ１３０に記憶されている人体データ群を参照して、ＲＡＭ１４０に一時的に記憶されている顧客の年齢情報と、取得した目位置データと頭頂部又は下顎位置データとから、未取得の頭頂部又は下顎位置データが検出され、検出されたデータに基づいて未取得の頭頂部又は下顎の位置が設定される（ステップＳ３３）。
【００８０】
頭頂部及び下顎位置データが取得された場合（ステップＳ３２後又はステップＳ３３後）、撮影画像が選択された写真種の規格に対応した画像となるように撮影画像の位置合わせ及び縮小／拡大処理が施され（ステップＳ３４）、本処理が終了される。
【００８１】
図６（ａ）に、図５に示す撮影画像に対して写真種がパスポートに設定された場合、ステップＳ３４において処理された撮影画像の例を示す。
図６（ａ）に示すように、撮影画像は、取得された目位置データに基づいて、目の位置Ｈｅが写真枠Ｗの鉛直方向下端から５０〜６０％の高さとなる位置に調整され、人体データ群が参照されて、顧客の年齢情報と取得した目位置データ及び顔の長手方向一端部位置データとしての下顎位置データとから、未取得の顔の長手方向他端部位置データとしての頭頂部位置データが検出され、下顎から頭頂部の距離Ｈｊｈが写真枠Ｗの高さＨに対して７０〜８０％となる大きさに縮小／拡大処理される。
【００８２】
なお、本実施の形態１では、顧客の髪型によっては頭頂部を特定することができない場合において、未取得の部位としての頭頂部の位置を検出する場合の例を示したが、例えば、ヒゲが多いことにより下顎の位置が特定できない場合において、未取得の部位としての下顎の位置を検出することも可能である。
【００８３】
図６（ｂ）に、下顎の位置が特定できない場合においてステップＳ３４において処理された撮影画像の例を示す。
図６（ｂ）に示すように、撮影画像は、取得された目の位置のデータに基づいて、目の位置Ｈｅが写真枠Ｗの鉛直方向下端から５０〜６０％の高さとなる位置に調整され、人体データ群が参照されて、顧客の年齢情報と取得した目位置データ及び顔の長手方向一端部位置データとしての頭頂部位置データとから、未取得の顔の長手方向他端部位置データとしての下顎位置データが検出され、下顎から頭頂部の距離Ｈｊｈが写真枠Ｗの高さＨに対して７０〜８０％となる大きさに縮小／拡大処理される。
【００８４】
図７に、本実施の形態１におけるプリント確認画像表示処理のフローチャートを示す。
【００８５】
図７に示すプリント確認画像表示処理では、図４に示す撮影画像調整処理のステップＳ３４において、写真種の規格に対応した画像となるように調整された調整済撮影画像が生成された後、調整済撮影画像に対して、プリント確認を行わせるプリント確認画面が生成され（ステップＳ４１）、頭頂部から写真枠Ｗの鉛直方向上端までの間の予め設定された空白領域の有無が判別される（ステップＳ４２）。
【００８６】
頭頂部から写真枠Ｗの鉛直方向上端までの空白領域の有無の判別は、写真枠Ｗ内の頭頂部の位置から写真枠Ｗの鉛直方向上端までをヒストグラム解析し、ヒストグラム解析結果に基づいて空白領域の有無の判別を行う等の公知の技術を用いることで判別することができる。
【００８７】
空白領域有りと判別された場合（ステップＳ４２；Ｙｅｓ）、プリント確認画面が表示部４０の操作画面上に表示される（ステップＳ４３）。
【００８８】
図８（ａ）に、ステップＳ４３において表示されるプリント確認画面の例を示す。
図８（ａ）に示すプリント確認画面Ｇ４は、頭頂部から写真枠Ｗの鉛直方向上端までの間の予め設定された空白領域が有る写真種の規格に対応した画像となるように調整された調整済撮影画像が表示されている。顧客は、表示されている画像を観察し、画像の良否を判断する。そして顧客は、良好な画像ではないと判断した場合は、撮り直しボタンＧ４１を選択し、良好な画像であると判断した場合にはプリントボタンＧ４２を押下して選択する。
【００８９】
空白領域が無いと判別された場合（ステップＳ４２；Ｎｏ）、髪型を修正する旨の警告情報を示すメッセージが付加されたプリント確認画面が表示部４０の操作画面上に表示される（ステップＳ４４）。
【００９０】
図８（ｂ）に、ステップＳ４４において表示される髪型を修正する旨の警告情報を示すメッセージが付加されたプリント確認画面の例を示す。
図８（ｂ）に示すプリント確認画面Ｇ５は、「頭頂部の上部に背景が写るように髪型を直して下さい。」という髪型を修正する旨の警告情報を示すメッセージＭ１が付加されて表示されている。顧客は、表示されている撮影画像を観察し、画像の良否を判断する。そして顧客は、良好な画像ではないと判断した場合は、写真枠Ｗ内に表示されている撮影画像を拡大／縮小ボタンＧ５１ａ、Ｇ５１ｂを用いて撮影画像の大きさ（拡大／縮小）の調整と、上下ボタンＧ５２ａ、Ｇ５２ｂを用いて写真枠Ｗに対して撮影画像の上下方向の位置の移動の調整を行う。更に良好な画像ではないと判断した場合は、撮り直しボタンＧ４１を選択し、良好な画像であると判断した場合にはプリントボタンＧ４２を押下して選択する。拡大／縮小ボタンＧ５１ａ、Ｇ５１ｂ及び上下ボタンＧ５２ａ、Ｇ５２ｂによって操作指示手段が実現される。
【００９１】
プリント確認画面が表示された後（ステップＳ４４後）、拡大／縮小ボタンＧ５１ａ、Ｇ５１ｂ又は上下ボタンＧ５２ａ、Ｇ５２ｂの操作指示に基づく調整指示が有るか否かが判別される（ステップＳ４５）。
【００９２】
調整指示が有りと判別された場合（ステップＳ４５；Ｙｅｓ）、調整指示に基づいて写真枠Ｗに対する撮影画像の位置や大きさが再調整され、プリント確認画面が再生成される（ステップＳ４６）。
【００９３】
再調整された撮影画像は、写真種の規格に対応した画像であるか否かが判別され（ステップＳ４７）、規格外の画像であると判別された場合、プリントされる画像は規格外の写真である旨の警告情報を示すメッセージが付加されたプリント確認画面が表示部４０の操作画面上に表示される（ステップＳ４８）。
【００９４】
規格内の画像であると判別された場合、プリント確認画面が表示部４０の操作画面上に表示される（ステップＳ４９）。
【００９５】
図８（ｃ）に、ステップＳ４８において表示されるプリントされる画像は規格外の写真である旨の警告情報を示すメッセージが付加されたプリント確認画面の例を示す。
図８（ｃ）に示すプリント確認画面Ｇ６は、顧客が任意に図８（ｂ）のプリント確認画面Ｇ５に表示されている撮影画像に対して縮小ボタンＧ５１ｂを操作した場合におけるプリント確認画面Ｇ６であり、「規格外の写真です。」というプリントされる画像は規格外の写真である旨の警告情報を示すメッセージＭ２が付加されて表示されている。
【００９６】
ステップＳ４３後、ステップＳ４５：Ｎｏ後、ステップＳ４８又はステップＳ４９後、プリント確認画面の撮り直しボタンＧ４１又はプリントボタンＧ４２が操作されたか否かが判別され（ステップＳ１２に戻る）、本処理が終了される。
【００９７】
このように、本実施の形態１によれば、被撮影者の髪型やヒゲ等の外観に左右されることなく、目の位置と顔の長手方向一端部の位置の２点に基づいて他端部の位置を容易に検出することができ、更に、被撮影者の操作無しに目の位置、顔の長手方向一端部及び他端部の位置が写真種毎に予め設定されている範囲内に収まるように調整されるため、規格を満足する写真が容易に得られる写真撮影装置を提供することができる。
【００９８】
また、被撮影者にとって認識しやすい頭頂部の位置と下顎の位置を、顔画像の大きさを検出する基準とすることができるため、操作ミスや位置合わせミスが低減され、規格を満足する写真を得ることができる。
【００９９】
[実施の形態２]
以下、本発明の実施の形態２を詳細に説明する。
本実施の形態２における写真撮影装置の概略構成図は、実施の形態１と同様であるため、図示及び詳細な説明は省略する。
【０１００】
図９に、写真撮影装置２の内部構成を示す。
図９に示すように、写真撮影装置２は、本体部１０、ストロボユニット２０、撮影手段としてのデジタルカメラ３０、表示手段としての表示部４０、コインメック５０、操作部６０、プリンタ部７０、通信部８０、入室センサＳを備えて構成されている。
【０１０１】
本体部１０は、制御部２１０、Ｉ／Ｏコントロール１２０、ＲＯＭ（Read Only Memory）２３０、ＲＡＭ（Random Access Memory）２４０、ＨＤＤ（Hard Disk Drive）２５０、Ｉ／Ｆ１６０から構成されており、Ｉ／Ｏコントロール１２０を介してストロボユニット２０、コインメック５０、スピーカ５５、操作部６０、に接続されるとともに、Ｉ／Ｆ１６０を介してプリンタ部７０に接続されている。なお、実施の形態１と略同様の構成である部分は同一の符号を付し詳細な説明は省略し、異なる部分のみ説明する。
【０１０２】
制御部２１０は、ＲＯＭ２３０に記憶されているシステムプログラムや各種データ、本発明に係る撮影プリント処理プログラム（図３参照）や撮影画像調整処理プログラム（図１０、１１参照）、プリント確認画像表示処理プログラム（図５参照）等の各種プログラムやデータを読み出してＲＡＭ２４０に展開し、当該プログラムに従って各部の動作を集中制御する。また、制御部２１０は、撮影画像に対し、階調変換処理、鮮鋭性強調処理、トリミング、サイズ調整等の各種画像処理を施す画像処理機能を有している。
【０１０３】
制御部２１０、ＲＯＭ２３０、ＲＡＭ２４０、ＨＤＤ２５０の協働により、撮影プリント処理プログラムによって実行される撮影プリント処理及びプリント確認画像表示処理は、実施の形態１と同様であるため、図示及び説明は省略する。
【０１０４】
制御部２１０、ＲＯＭ２３０、ＲＡＭ２４０、ＨＤＤ２５０の協働により、後述する撮影画像調整処理プログラムによって実行される本実施の形態２の撮影画像調整処理は、撮影された複数の撮影画像からプリントさせる画像が選択された後、選択された撮影画像に対して、選択された撮影画像から顔領域を抽出する顔抽出手段としての機能と、抽出された顔領域から目の位置を示す目位置データを抽出する目位置特定手段としての機能と、抽出された顔領域から顔の長手方向一端部の位置としての頭頂部又は下顎の少なくとも一方の位置を特定し、特定された顔の長手方向一端部位置データ（頭頂部位置データ又は下顎位置データ）を出力する一端部特定手段としての機能と、取得された位置が目の位置と頭頂部又は下顎の位置のいずれか一方である場合には、ＲＯＭ２３０内に予め記憶されている人体データ群を参照して、取得された目の位置と頭頂部又は下顎の位置のいずれか一方から、取得されていない顔の長手方向他端部の位置としての頭頂部又は下顎の位置を検出して顔の長手方向他端部位置データ（頭頂部位置データ又は下顎位置データ）を出力する他端部検出手段としての機能と、目の位置と頭頂部から下顎の位置の領域とが、予め設定された範囲内に収まるように配置調整を施す画像調整手段としての機能を実現する。
【０１０５】
ＲＯＭ２３０は、システムプログラムの他、撮影プリント処理プログラムや本実施の形態２の撮影画像調整処理プログラム、プリント確認画像表示処理プログラム等の各種制御プログラム、人体データ群等の各種データ、各プログラムで処理されたデータ等を記憶する。なお、人体データ群は、実施の形態１と同様であるため、説明は省略する。
【０１０６】
ＲＡＭ２４０は、制御部２１０によって実行される各種プログラム及びこれらプログラムに係るデータを一時的に記憶するワークエリアを形成する。また、ＲＡＭ２４０は、デジタルカメラ３０により撮影された撮影画像の画像データを一時的に記憶するエリアを有する。
【０１０７】
ＨＤＤ２５０は、デジタルカメラ３０により撮影された撮影画像（原画像）の画像データを記憶するとともに、制御部２１０により各種画像処理が施された処理画像の画像データを記憶する。また、料金案内、プリント条件の設定等の各種操作画面の画像データを記憶するとともに、各種操作画面におけるガイドアナウンス音声の音データを記憶している。
【０１０８】
図１０及び１１に、本実施の形態２における撮影画像調整処理のフローチャートを示す。
【０１０９】
図１０及び１１に示す撮影画像調整処理では、図３に示す撮影プリント処理のステップＳ９において、撮影画像が選択されると、選択された撮影画像の画像データが取得され（ステップＳ５１）、当該撮影画像に対して、顔領域が抽出される（ステップＳ５２）。
【０１１０】
顔領域の抽出は、公知技術の様々な方法により実現することができる。例えば、予め、複数の画像を利用して平均画像を作成し、顔検索用の辞書で様々な画像を評価し、顔辞書と類似度の高い領域で顔でないと得られたら非顔辞書として画像を収集し、また、入力された画像に対して顔の大きさの影響をなくするために複数段階での拡大、縮小画像を作成し、それぞれの画像に対し、例えば複合類似法もしくはテンプレートマッチング法を利用して顔領域の探索を行い、顔領域は顔辞書と類似度が高く、非顔辞書と類似度が低い評価を行い顔画像領域を求めるようにするが、これに限定されるものではない。
【０１１１】
顔領域が抽出された後（ステップＳ５２後）、抽出した顔領域に存在する顧客の肌色が存在する領域を抽出し、顧客の顔の輪郭を抽出する（ステップＳ５３）。
【０１１２】
肌色領域の抽出は、公知技術の様々な方法により実現することができる。例えば、単純領域拡張法が挙げられる。単純領域拡張法とは、画素間のデータ差が閾値以下の互いに隣接する画素を同一画像領域に属するものとして当該領域を拡張していくことにより画像領域の抽出を行う画像処理方法である。即ち、指定された特定の条件に合致する初期画素から出発し、当該初期画素に対して隣接する画素のデータ差が閾値以下である場合に当該隣接画素と初期画素とを同一画素に属するものとし、さらに、当該同一画像領域に属するとした画素に対し隣接する画素についても同様の判定手段で判定を行っていき、初期画素から出発して同一領域を徐々に拡張させることによって画像領域を抽出を行う方法である。
【０１１３】
顧客の顔の輪郭が抽出された後（ステップＳ５３後）、抽出された顔領域の顔の輪郭から目の位置を示す領域が抽出される（ステップＳ５４）。目の位置を示す領域の抽出は、顔の輪郭に対する目の領域の相対位置情報が予め設定されており、抽出された顔の輪郭と相対位置情報とに基づく画像処理により抽出される。
【０１１４】
目の位置が抽出された後（ステップＳ５４後）、顔領域に対する目位置データとしてＲＡＭ２４０又はＨＤＤ２５０に取得される（ステップＳ５５）。
【０１１５】
また、抽出された顔の輪郭から頭頂部の位置の抽出処理が行われることにより頭頂部の位置の特定が行われ、頭頂部の位置が抽出されたか否かが判別される（ステップＳ５６）。頭頂部の位置の抽出処理は、顔の輪郭と目の領域とに基づく画像処理により処理される。
【０１１６】
頭頂部の位置が抽出されたと判別された場合（ステップＳ５６；Ｙｅｓ）、顔領域に対する頭頂部位置データが出力され、ＲＡＭ２４０又はＨＤＤ２５０に取得される（ステップＳ５７）。
【０１１７】
頭頂部の位置が抽出されない場合とは、顧客の髪型によって顔の輪郭又は目の領域を示すデータの不足により頭頂部を検出することができない場合である。
【０１１８】
頭頂部の位置が抽出されないと判別された場合（ステップＳ５６；Ｎｏ）又はステップＳ５７後、抽出された顔の輪郭から下顎の位置の抽出処理が行われることにより下顎の位置の特定が行われ、下顎の位置が抽出されたか否かが判別される（ステップＳ５８）。下顎の位置の抽出処理は、顔の輪郭と目の領域とに基づく画像処理により処理される。
【０１１９】
下顎の位置が抽出されたと判別された場合（ステップＳ５８；Ｙｅｓ）、顔領域に対する下顎位置データが出力され、ＲＡＭ２４０又はＨＤＤ２５０に取得される（ステップＳ５９）。
【０１２０】
下顎の位置が抽出されない場合とは、顧客のヒゲが多いことにより顔の輪郭又は目の領域を示すデータの不足により下顎の位置を検出することができない場合である。
【０１２１】
下顎の位置が抽出されないと判別された場合（ステップＳ５８；Ｎｏ）又はステップＳ５９後、頭頂部及び下顎位置データが取得済みであるか否かが判別される（ステップＳ６０）。
【０１２２】
頭頂部及び下顎位置データが取得済でないと判別された場合（ステップＳ６０；Ｎｏ）、頭頂部又は下顎位置データのいずれか一方が取得済みであるか否かが判別される（ステップＳ６１）。
【０１２３】
頭頂部又は下顎位置データのいずれか一方が取得済みでないと判別された場合（ステップＳ６１；Ｎｏ）、頭頂部及び下顎の位置入力画面が生成され、頭頂部及び下顎の位置の位置入力画面が表示部４０の操作画面上に表示され（ステップＳ６２）、ユーザの入力指示に基づいて頭頂部又は下顎のいずれか一方の位置のデータの取得処理が実行される。
【０１２４】
なお、ステップＳ６３〜Ｓ６７は、実施の形態１のステップＳ２５〜Ｓ２９と同様の動作のため、説明は省略する。また、頭頂部及び下顎の位置の位置入力画面の例は、実施の形態１と同様であるため、図示及び説明は省略する。
【０１２５】
頭頂部又は下顎の位置のデータが取得済みであると判別された場合（ステップＳ６１；Ｙｅｓ、又はステップＳ６７；Ｙｅｓ）、ＲＯＭ２３０に記憶されている人体データ群を参照して、ＲＡＭ２４０に一時的に記憶されている顧客の年齢情報と、取得した目の位置のデータと頭頂部又は下顎の位置のデータとから、未取得の頭頂部又は下顎の位置が検出され、検出された位置が未取得の頭頂部又は下顎の位置として設定される（ステップＳ６８）。
【０１２６】
頭頂部及び下顎位置データが取得済みである場合（ステップＳ６０；Ｙｅｓ）又は未取得の部位の位置が検出されて設定された後（ステップＳ６８後）、撮影画像上に取得した位置を示す確認画面が生成され、位置確認画面が表示部４０の操作画面上に表示される（ステップＳ６９）。
【０１２７】
図１２に、ステップＳ６９において表示される位置確認画面の一例を示す。
図１２に示すように、位置確認画面Ｇ７には、選択された撮影画像Ｇ１０と共に撮影画像の水平方向に取得された目の位置を示すゲージＧｅと、頭頂部の位置を設定するゲージＧｈと、下顎の位置を示すゲージＧｊとが表示され、表示されたゲージの位置を再設定する旨を指示する再設定ボタンＧ３１と、表示されたゲージの位置で良い旨を指示するＯＫボタンＧ３２とが選択可能に表示されている。
【０１２８】
顧客は、表示されているゲージが示す位置を確認し、表示されたゲージの位置を再設定する場合には再設定ボタンＧ３１を押下し、表示されたゲージの位置で良い場合にはＯＫボタンＧ３２を押下して、設定した位置の確認指示を行う。
【０１２９】
位置確認画面Ｇ３に対する確認指示において、再設定ボタンＧ３１又はＯＫボタンＧ３２のどちらかが押下されたかが判別され（ステップＳ７０）、再設定ボタンＧ３１が押下されたと判別された場合（ステプＳ７０；再設定）、目の位置の入力操作を行わせる位置入力画面が生成され、表示部４０の操作画面上に表示される（ステップＳ７１）。
【０１３０】
ユーザの入力指示に基づいて目の位置と、頭頂部又は下顎のいずれか一方の位置データの取得処理が実行される。
【０１３１】
なお、ステップＳ７２〜Ｓ７３は、実施の形態１のステップＳ２３〜Ｓ２４と同様の動作であり、ステップＳ６２〜Ｓ６７は、上述しているため、説明は省略する。また、目の位置と、頭頂部及び下顎の位置の位置入力画面の例は、実施の形態１と同様であるため、図示及び説明は省略する。
【０１３２】
ＯＫボタンＧ３２が押下されたと判別された場合（ステップＳ７０；ＯＫ）、撮影画像が選択された写真種の規格に対応した画像となるように撮影画像の位置位置合わせ及び縮小／拡大処理が施され（ステップＳ３４）、本処理が終了される。
【０１３３】
ステップＳ７４において処理された撮影画像の例は、実施の形態１と同様であるため、図示及び説明は省略する。
【０１３４】
このように、本実施の形態２によれば、被撮影者の髪型やヒゲ等の外観に左右されることなく、被撮影者の操作無しに目の位置と顔の長手方向一端部の位置の２点に基づいて他端部の位置を容易に検出することができ、更に、目の位置、顔の長手方向一端部及び他端部の位置が写真種毎に予め設定されている範囲内に収まるように配置調整が施されるため、規格を満足する写真が容易に得られる写真撮影装置を提供することができる。
【０１３５】
また、本発明は、上記実施の形態の内容に限定されるものではなく、本発明の主旨を逸脱しない範囲で適宜変更可能である。
【図面の簡単な説明】
【０１３６】
【図１】本実施の形態１における写真撮影装置１の概略構成図である。
【図２】写真撮影装置１の内部構成である。
【図３】本実施の形態１における写真撮影装置１により実行される撮影プリント処理のフローチャートである。
【図４】本実施の形態１における撮影画像調整処理のフローチャートである。
【図５】図５（ａ）は、目の位置の位置入力画面の一例であり、図５（ｂ）は、頭頂部及び下顎の位置の位置入力画面の一例であり、図５（ｃ）は、位置確認画面の一例である。
【図６】図６（ａ）は、図５に示す撮影画像に対して写真種がパスポートに設定された場合、ステップＳ３４において処理された撮影画像の例であり、図６（ｂ）は、下顎の位置が検出できない場合、ステップＳ３４において処理された撮影画像の例である。
【図７】本実施の形態１におけるプリント確認画像表示処理のフローチャートである。
【図８】図８（ａ）は、ステップＳ４３において表示されるプリント確認画面の例であり、図８（ｂ）は、ステップＳ４４において表示される髪型を修正する旨の警告情報を示すメッセージが付加されたプリント確認画面の例であり、図８（ｃ）は、ステップＳ４８において表示されるプリントされる画像は規格外の写真である旨の警告情報を示すメッセージが付加されたプリント確認画面の例である。
【図９】写真撮影装置２の内部構成である。
【図１０】本実施の形態２における撮影画像調整処理のフローチャートである。
【図１１】本実施の形態２における撮影画像調整処理のフローチャートである（図１０の続き）。
【図１２】ステップＳ６９において表示される位置確認画面の一例である。
【符号の説明】
【０１３７】
１、２  写真撮影装置
１０  本体部
１１０、２１０  制御部
１２０  Ｉ／Ｏユニット
１３０、２３０  ＲＯＭ
１４０、２４０  ＲＡＭ
１５０、２５０  ＨＤＤ
１６０  Ｉ／Ｆ
２０  ストロボユニット
２０ａ  ストロボ
３０  デジタルカメラ
４０  表示部
５０  コインメック
５５  スピーカ
６０  操作部
７０  プリンタ部
８０  通信部
Ｃ  椅子
Ｇ１  目の位置入力画面
Ｇ２  頭頂部及び下顎の位置の位置入力画面
Ｇ３、Ｇ７  位置確認画面
Ｇ４、Ｇ５、Ｇ６  プリント確認画面
Ｇ１０  撮影画像
Ｇ１１  ゲージ設定完了ボタン
Ｇ２１  頭頂部の位置のゲージ設定完了ボタン
Ｇ２２  下顎の位置のゲージ設定完了ボタン
Ｇ３１  再設定ボタン
Ｇ３２  ＯＫボタン
Ｇ４１  撮り直しボタン
Ｇ４２  プリントボタン
Ｇ５１ａ、Ｇ５１ｂ  拡大／縮小ボタン
Ｇ５２ａ、Ｇ５２ｂ  上下ボタン
Ｇｄ、Ｇｕ  ゲージ操作ボタン
Ｇｅ  目の位置を設定するゲージ
Ｇｈ  頭頂部の位置を設定するゲージ
Ｇｊ  下顎の位置を設定するゲージ
Ｈ  写真枠の高さ
Ｈｅ  目の位置
Ｈｊｈ  下顎から頭頂部の距離
Ｍ  顧客
Ｍ１、Ｍ２  メッセージ
Ｒ  撮影室
Ｓ  入室センサ
Ｗ  写真枠
【図１】
2006301795.tif 000003
【図２】
2006301795.tif 000004
【図３】
2006301795.tif 000005
【図４】
2006301795.tif 000006
【図５】
2006301795.tif 000007
【図６】
2006301795.tif 000008
【図７】
2006301795.tif 000009
【図８】
2006301795.tif 000010
【図９】
2006301795.tif 000011
【図１０】
2006301795.tif 000012
【図１１】
2006301795.tif 000013
【図１２】
2006301795.tif 000014